【事件の表示】
　特願２０１５−２００７７８「人材検索サーバ」拒絶査定不服審判事件〔、請求項の数（１）〕について、次のとおり審決する。
【結　論】
　原査定を取り消す。
　本願の発明は、特許すべきものとする。
【理　由】
第１　手続の経緯
　本願は，平成２７年１０月９日を出願日とする出願であって，平成２８年５月１０日付けで拒絶査定（以下，「原査定」という。）がされ，これに対し，平成２８年７月６日に拒絶査定不服審判が請求され，同時に手続補正がされたものである。
第２　原査定の概要
　本願請求項１に係る発明は、下記引用文献１−３に基づいて、当業者が容易に発明できたものであり、特許法第２９条第２項の規定により特許を受けることができない。
　本願請求項２に係る発明は、下記引用文献１−２に基づいて、当業者が容易に発明できたものであり、特許法第２９条第２項の規定により特許を受けることができない。
引用文献等一覧
１．特開２０１１−３９６３５号公報
２．特開２０１１−３４５２３号公報
３．特開２０１３−２５５５５号公報（新たに引用された文献；周知技術を示す文献）
第３　審判請求時の補正について
　審判請求時の補正は，特許法第１７条の２第３項から第６項までの要件に違反しているものとは認められない。
　なお，「第４　本願発明」から「第６　当審の判断」までに示すように，補正後の請求項１に係る発明は，独立特許要件を満たすものである。
第４　本願発明
　本願請求項１に係る発明（以下，それぞれ「本願発明」という。）は，平成２８年７月６日の手続補正で補正された特許請求の範囲の請求項１に記載された事項により特定された，以下のとおりの発明である。
「各人材の属性情報と、質問に対して前記各人材から得られた回答情報とを少なくとも記憶するデータベースと、
　人材検索の基準となるモデル人材に関する検索条件の入力を受け付ける入力手段と、
　前記検索条件を検索キーとして前記データベースを検索することにより、前記モデル人材の特性をあらわす多次元ベクトルを生成する生成手段と、
　生成した前記多次元ベクトルに近い人材を、前記データベースから検索する検索手段と、
　検索した前記人材の人材情報を出力する出力手段とを具備し、
　前記入力手段は、複数の前記モデル人材に関する検索条件のほか、前記人材検索において重要視すべきパラメータである検索補助条件の入力を複数受け付け、
　前記生成手段は、前記モデル人材のそれぞれについて多次元ベクトルを生成した後、前記検索補助条件を反映した形で所定の重み付けを行って合成ベクトルを生成し、
　前記検索手段は、前記検索補助条件に示される各パラメータの観点で、重み付けされた合成ベクトルに近い人材を最適な人材としてそれぞれ特定する、人材検索サーバ。」
第５　引用文献の記載事項
　原査定の拒絶の理由に引用された引用文献１には，以下のことが記載されている。
１　【０００１】から【０００６】まで
「【技術分野】
【０００１】
  本発明は、人材検索装置及びプログラムに関する。
【背景技術】
【０００２】
  従来、人材情報を記憶したデータベースから検索条件に合致する人材を検索する人材検索システムが知られている（例えば、特許文献１参照）。
【０００３】
  人材検索システムでは、例えば、人物毎に企画力、統率力、協調性等の人材要素の項目の評点をデータベースに記憶しておき、「企画力＝７０点以上」のような定量データを検索条件として指定することによって、所望の人材要素を備える人材を検索することが行われている。ここで、人材要素とは、企画力、統率力、協調性、やる気等の、希望する人材としての適性に関する評価要素を指す。
【先行技術文献】
【特許文献】
【０００４】
【特許文献１】特開２００５−３２７０２８号公報
【発明の概要】
【発明が解決しようとする課題】
【０００５】
  しかしながら、従来の人材検索システムでは、所望する人材の各人材要素項目の評点を具体的に検索条件として指定する必要があり、例えば、「Ａさんのような人材」、「Ａさんの１０年前のような人材」、「ＡさんとＢさんを足して２で割ったような人材」、「企画部のメンバーのような人材」等、ある人物や人物の集合体に属する人物と同等の人材要素を備える人材を容易に検索することができなかった。
【０００６】
  本発明の課題は、ユーザが指定した人物又は指定した人物の集合体に属する人物と同等の人材要素を備えた人材を容易に検索できるようにすることである。」
２　【００１４】
「【発明の効果】
【００１４】
  本発明によれば、ユーザが指定した人物名又は指定した人物の集合体名に属する人物と同等の人材要素を備えた人材を容易に検索することが可能となる。」
３　【００２５】
「【００２５】
  
第１人材情報ＴＢＬ１５１は、社員毎に直近の基準日における人材情報が格納されたテーブルである。人材情報は、その社員（人物）を特定する情報及びその社員（人物）の人材要素（「企画力」、「統率力」、「協調性」、「やる気」等」）の項目毎の評点を含む。
第１人材情報ＴＢＬ１５１には、「社員番号」、「氏名」、「データ基準日」、「年齢」、「所属」、「企画力」、「統率力」、「協調性」、「やる気」、「職種」、「婚姻日」の項目が設けられており、社員毎の人材情報が１レコードとして格納されている。
４　【００３８】〜【００４３】
「【００３８】
  まず、社員指定検索画面１３２が表示部１３に表示される（ステップＳ１００）。
  図１３に、図１２ＡのステップＳ１００で表示される社員指定検索画面１３２の一例を示す。
社員指定検索画面１３２は、人材を検索する際の基準となる社員を指定するための指定手段である。図１３に示すように、社員指定検索画面１３２には、複数（ｎ行。ｎは任意の値）の社員情報入力欄１３２ａ
が設けられている。
　
社員情報入力欄１３２ａは、人材を検索する際の基準となる社員を特定するための社員情報、例えば、社員番号や、氏名＋所属等を入力する欄である。例えば、「第一企画室の山田太郎さんのような人材」を検索したい場合、社員情報入力欄１３２ａの社員番号欄に山田太郎さんの社員番号である「１０００」を入力するか又は氏名欄に「山田太郎」及び所属欄に「第一企画室」を入力すると、山田太郎さんを人材検索の基準として指定することができる。
（略）
【００４１】
  ステップＳ１０６において、Ｎ行目の基準日入力欄１３２ｂがブランクであると判断されると（ステップＳ１０６；ＹＥＳ）、
第１人材情報ＴＢＬ１５１から、社員情報（「社員番号」又は「氏名」＋「所属」）がＮ行目に入力された社員情報と一致するレコードが抽出される（ステップＳ１０９）。
（略）
【００４３】
  ステップＳ１１２においては、第１作業ファイル領域１４１に書き込まれたレコードが「職種」によりソートされ、
表示部１３の人材検索画面１３３に表示される
検索条件１、２を編集するための編集欄１３３Ａが人材検索画面１３３に表示される
５　【００４６】〜【００４８】
「【００４６】
  
編集欄１３３Ａは、検索条件を編集するための欄であり、検索条件１選択欄１３３ｂ、検索条件１表示欄１３３ｃ、検索条件２選択欄１３３ｄ、検索条件２入力欄１３３ｅにより構成される。
  
検索条件１選択欄１３３ｂは、
表示されている社員の人材要素項目の「平均値」、「最高値」、「最小値」の何れか１つの項目を検索条件１（検索する際の基準値）として選択する
 
 検索条件１表示欄１３３ｃは、検索条件１入力欄１３３ｂで選択された基準値の算出結果を表示するための表示欄
【００４７】
  
検索条件２選択欄１３３ｄは、
「許容度」、「範囲指定」、「候補数指定」の何れか１つの項目を検索条件２（検索する際の検索条件式又は件数）として選択する
【００４８】
  
検索条件２入力欄１３３ｅは、検索条件２選択欄１３３ｄで選択された許容度や検索対象範囲の検索条件式、又は検索件数を入力するための欄である。「許容度」としては、人材要素項目毎に「一致」、「＋ｎ％」、「−ｎ％」、「±ｎ％」（ｎは任意の数値）等の検索条件式を入力することができる。「範囲指定」としては、人材要素項目毎に「以上」、「以下」、「より大きい」、「未満」の単独又は組み合わせの検索条件式を入力することができる。「候補数指定」としては、図１４Ｄに示すように、「以上」、「以下」、「未満」、「より大きい」の単独又は組み合わせの検索条件式と、人材候補として表示する件数を指定することができる。」
６　【００５６】〜【００５７】
「【００５６】
  ステップＳ１２６において、
入力部１２により人材検索ボタン１３３ｆが押下されると、処理は図１１のステップＳ１２に移行する
【００５７】
  図１１の
ステップＳ１２においては、人材候補検索処理が実行される（
  図１５に、図１１のステップＳ１２で実行される人材候補検索処理のフローチャートを示す。人材候補検索処理は、ＣＰＵ１１と人材検索処理プログラム１５７との協働により実行される」
７　【００８６】
「【００８６】
  図１９に、
表示部１３の人材検索画面１３３における人材候補欄１３３ｇに人材検索結果が表示された例を示す。
　また，上記記載によれば，
社員指定検索画面で入力した複数の社員ごとに人材要素項目の評価値を求め，人材検索画面の編集欄で特定した検索条件１により，複数の社員の評価値を合成した人材要素を作成し，作成した人材要素に対し，検索条件２を満たす人材を検索
８　【０１４１】
「【０１４１】
  また、上記実施形態においては、人材検索装置１をスタンドアロンの装置として説明したが、人材検索装置はＬＡＮ、インターネットに接続された複数の装置により構成されることとしてもよい。例えば、
人材検索装置は、指定手段や表示手段等のユーザインターフェースを備える端末と、人材情報データベース１５０を備える記憶装置と、制御手段を備えるサーバと、により構成されることとしてもよい。」
９　　上記１〜８から，引用文献１には，以下の発明（以下，「引用発明」という。）が記載されている。
「人材検索装置であって，
　「社員番号」，「氏名」，「データ基準日」，「年齢」，「所属」，「企画力」，「統率力」，「協調性」，「やる気」，「職種」，「婚姻日」の項目からなる社員毎の人材情報を格納している第１人材情報ＴＢＬ１５１を記憶する記憶装置と，
　制御手段を有し，
　前記制御手段は，ユーザインターフェースを備える端末の表示手段に，
　　人材を検索する際の基準となる社員を指定するための指定手段であって，複数（ｎ行。ｎは任意の値）の社員情報入力欄１３２ａを有する社員指定検索画面と，
　　入力された社員情報と一致するレコードを，前記第１人材情報ＴＢＬ１５１から抽出した結果を表示する人材検索画面１３３と，
　を表示させるものであって，
　前記人材検索画面は，
　　編集欄１３３Ａ，人材検索ボタン１３３ｆ及び人材候補欄１３３ｇを有し，
　　編集欄１３３Ａは，検索条件を編集するための欄であり，検索条件１選択欄１３３ｂ，検索条件１表示欄１３３ｃ，検索条件２選択欄１３３ｄ，検索条件２入力欄１３３ｅにより構成され，　
　検索条件１選択欄１３３ｂは，表示されている社員の人材要素項目の「平均値」「最高値」「最小値」のいずれか１つを選択でき，
　検索条件１表示欄１３３ｃは，前記検索条件１選択欄１３３ｂで選択された基準値の算出結果を表示し，
　検索条件２選択欄１３３ｄは，「許容度」「検索対象範囲」「候補数指定」のいずれか１つを選択でき，
　検索条件２入力欄１３３ｅは，許容度や検索対象範囲の検索条件式，又は検索件数を入力し，
　人材候補検索欄１３３ｇは，人材検索ボタン１３３ｆが押下により人材候補検索処理が実行され，その結果を表示し，
　前記人材候補検索処理は，社員指定検索画面で入力した複数の社員ごとに人材要素項目の評価値を求め，人材検索画面の編集欄で特定した検索条件１により，複数の社員の評価値を合成した人材要素を作成し，作成した人材要素に対し，検索条件２を満たす人材を検索することを特徴とする
　人材検索装置。」
第６　当審の判断
１　本件発明と引用発明との対比
（１）　引用発明の「記憶装置」は，「第１人材情報ＴＢＬ１５１」を記憶しており，「第１人材情報ＴＢＬ１５１」は，「統率力」などの項目の情報であり，社員毎の人材情報を格納している。この人材情報は，どのように作成されているかは記載がない。よって，本願発明の「データベース」と引用発明の「記憶装置」とは，「各人材の属性情報を少なくとも記憶する」点で一致し，本願発明が，「質問に対して前記各人材から得られた回答情報」も記憶するのに対し，引用発明は，そのような情報を含むかが不明な点で相違する。
（２）　引用発明の「社員指定検索画面」は，「人材を検索する際の基準となる社員を指定するための指定手段」であり，上記第５．４にて摘記したように，「社員情報入力欄１３２ａは、人材を検索する際の基準となる社員を特定するための社員情報、例えば、社員番号や、氏名＋所属等を入力する欄である。例えば、「第一企画室の山田太郎さんのような人材」を検索したい場合、社員情報入力欄１３２ａの社員番号欄に山田太郎さんの社員番号である「１０００」を入力するか又は氏名欄に「山田太郎」及び所属欄に「第一企画室」を入力すると、山田太郎さんを人材検索の基準として指定することができる。」のであり，前記「第一企画室の山田太郎さんのような人材」は，本願発明の「人材検索の基準となるモデル人材に関する検索条件」に対応するものである。よって，引用発明は，本願発明の「人材検索の基準となるモデル人材に関する検索条件の入力を受け付ける入力手段」を備えているといえる。
（３）　引用発明の「人材検索画面」は，「入力された社員情報と一致するレコードを，前記第１人材情報ＴＢＬ１５１から抽出した結果を表示する」から，この表示内容は，本願発明の「前記検索条件を検索キーとして前記データベースを検索することにより、前記モデル人材の特性をあらわす多次元ベクトルを生成する生成手段」の「多次元ベクトル」と同じである。よって，引用発明は，本願発明の「前記検索条件を検索キーとして前記データベースを検索することにより、前記モデル人材の特性をあらわす多次元ベクトルを生成する生成手段」に相当する手段を有する。
（４）　引用発明の「人材候補検索処理」は，「作成した人材要素に対し，検索条件２を満たす人材を検索」するものであるから，本願発明の「生成した前記多次元ベクトルに近い人材を、前記データベースから検索する検索手段」に相当する。
（５）　引用発明の「人材候補検索欄」は，「人材候補検索処理が実行され，その結果を表示」しているのであるから，引用発明は，本願発明の「検索した前記人材の人材情報を出力する出力手段」に対応する構成を有しているといえる。
（６）　引用発明の「編集欄」は，「検索条件を編集するための欄」であり，検索条件１，２など複数の人材の検索条件を受け付けることから，本願発明の入力手段が「複数の前記モデル人材に関する検索条件のほか、前記人材検索において重要視すべきパラメータである検索補助条件の入力を受け付け」ることに対し，「複数の前記モデル人材に関する検索条件を複数受け付け」る点で一致するが，「人材検索において重要視すべきパラメータである検索補助条件を複数受け付け」ていない点で相違する。
（７）　引用発明の「人材候補検索処理」は，「社員指定検索画面で入力した複数の社員ごとに人材要素項目の評価値を求め，人材検索画面の編集欄で特定した検索条件１により，複数の社員の評価値を合成した人材要素を作成」しているから，本願発明の生成手段が「前記モデル人材のそれぞれについて多次元ベクトルを生成した後、前記検索補助条件を反映した形で所定の重み付けを行って合成ベクトルを生成」することに対し，「前記モデル人材のそれぞれについて多次元ベクトルを生成した後、合成ベクトルを生成」している点で一致するが，その合成ベクトルの生成に際し「検索補助条件を反映した形で所定の重み付け」を行わない点で相違する。
（８）　引用発明の「人材候補検索処理」は，「作成した人材要素に対し，検索条件２を満たす人材を検索する」から，本願発明の検索手段が「前記検索補助条件に示される各パラメータの観点で、重み付けされた合成ベクトルに近い人材を最適な人材としてそれぞれ特定する」ことに対し，「合成ベクトルに近い人材を最適な人材」を特定する点では一致する。しかしながら，上記６．で示したとおり，引用発明は，「人材検索において重要視すべきパラメータである検索補助条件を複数受け付け」ていないため，「前記検索補助条件に示される
各パラメータの観点で
それぞれ特定する
（９）　引用発明は「人材検索
装置
サーバ
２　一致点
　上記１．の対比により，本願発明と引用発明とは，
「各人材の属性情報を少なくとも記憶するデータベースと，
　人材検索の基準となるモデル人材に関する検索条件の入力を受け付ける入力手段と，
　前記検索条件を検索キーとして前記データベースを検索することにより，前記モデル人材の特性をあらわす多次元ベクトルを生成する生成手段と，
　生成した前記多次元ベクトルに近い人材を，前記データベースから検索する検索手段と，
検索した前記人材の人材情報を出力する出力手段とを具備し，
　前記入力手段は，複数の前記モデル人材に関する検索条件を受け付け，
　前記生成手段は，前記モデル人材のそれぞれについて多次元ベクトルを生成した後，合成ベクトルを生成し，
　前記検索手段は，合成ベクトルに近い人材を最適な人材として特定する，
人材検索サーバ。」
の点で一致する。
３　相違点
　他方，以下の点で相違する。
（１）　相違点１
　本願発明のデータベースが，「質問に対して前記各人材から得られた回答情報」も記憶するのに対し，引用発明は，そのような情報を記憶するかが不明な点。
（２）　相違点２
　本願発明の入力手段が「人材検索において重要視すべきパラメータである検索補助条件を複数受け付け」ているのに対し，引用発明では，検索補助条件にあたる情報を受け付けていない点で相違する。また，本願発明は，複数の「検索補助条件」により，生成手段では，「検索補助条件を反映した形で所定の重み付け」を行って合成ベクトルを生成し，検索手段では，「前記検索補助条件に示される各パラメータの観点で、重み付けされた合成ベクトルに近い人材を最適な人材としてそれぞれ特定する」のに対し，引用発明では，「検索補助条件」にあたる条件を考慮していない点でも相違する。
４　相違点についての判断
　上記相違点について検討する。
（１）　相違点１について
　引用発明が「第１人材情報ＴＢＬ１５１」は，「社員番号」，「氏名」，「データ基準日」，「年齢」，「所属」，「企画力」，「統率力」，「協調性」，「やる気」，「職種」，「婚姻日」の項目からなる社員毎の人材情報を格納しているが，これらの情報についてどのように作成されるかは記載がないものの，例えば，「婚姻日」は，「企画力」などのように評価値ではなく，該当社員に問い合わせた結果として得られる情報であるから，「質問に対して前記各人材から得られた回答情報」といえる。また，本願発明において，「質問に対して前記各人材から得られた回答情報」固有の処理を有しておらず，人材情報として，このような情報を単に含むとすることは，当業者が適宜なし得ることである。
（２）　相違点２について
　上記１．（６）〜（８）及び上記相違点２で述べたとおり，引用発明は，
人材検索における検索条件を受け付けることや，複数の人材評価値を合成して，合成ベクトルを生成することなどは行うものの，本願発明のように，「人材検索において重要視すべきパラメータである検索補助条件を複数受け付け」，「前記検索補助条件に示される各パラメータの観点で、重み付けされた合成ベクトルに近い人材を最適な人材としてそれぞれ特定する」ことは行っていない。
　そして，拒絶査定で引用された引用文献３においては，２人のアーティストを指定した場合の推薦比率を設定できること（【０１４５】，図１９）は開示されているものの，これは，人材を合成したモデルの作成にあたり，どちらの人材の特徴を優先するかを設定するものである。
　また，拒絶査定で引用された引用文献２は，【００２５】において「各特徴情報は，・・・アンケート回答等の結果に基づいて数値化されている」と記載し，「アンケート回答等の結果に基づいて数値化された，人材の能力を示す特徴情報を有する人材情報テーブルを備えた人材検索装置」を開示しているにすぎない。
　よって，いずれの文献も，本願発明のように「検索補助条件に示される各パラメータの観点で，重み付けされた合成ベクトルに近い人材を最適な人材としてそれぞれ特定」するものではない。この点は，拒絶理由中に示された他の文献にも記載されているとはいえない。
　したがって，本願発明は，引用発明に基づいて，当業者が容易に発明をすることができたとはいえない。
第７　原査定について
　第６で述べたとおり，審判請求時の補正により，補正後の請求項１は，「検索補助条件」に関する事項を有するものとなっており，当業者であっても，拒絶査定において引用された引用文献１−３に基づいて容易に発明できたものとは認められない。したがって，原査定の理由を維持することはできない。
第８　むすび
　以上のとおり，原査定の理由によっては，本願を拒絶することはできない。
　また，他に本願を拒絶すべき理由を発見しない。
　よって，結論のとおり審決する。